(57)【要約】【課題】燃料電池の生成水を貯蔵する燃料電池システムにおいて、構成を複雑化させることなく、水質の悪化を抑制しつつ貯蔵水を確保する。【解決手段】水素と酸素とを電気化学反応させ、電気化学反応に伴って水を生成する燃料電池１０と、燃料電池１０から回収された水を貯蔵するとともに、貯蔵された水を排出可能となっている貯水部３１、３５と、貯水部３１、３５の水を使用する水使用部３９と、貯水部３１、３５からの水の排出を制御する制御部５０とを備える。制御部５０は、貯水部３１、３５の水が前回排出されてから第１所定時間が経過した場合に、貯水部３１、３５の水を排出し、第１所定時間より短い第２所定時間内に使用部３９で貯水部３１、３５の水が使用されると予測される場合は、貯水部３１、３５の水が排出されてから第１所定時間が経過していても、貯水部３１、３５の水を排出しない。【選択図】図４
2019067662.tif 000002
【特許請求の範囲】
【請求項１】
水素と酸素とを電気化学反応させ、前記電気化学反応に伴って水を生成する燃料電池（１０）と、
前記燃料電池から回収された水を貯蔵するとともに、貯蔵された水を排出可能となっている貯水部（３１、３５）と、
前記貯水部の水を使用する水使用部（３９）と、
前記貯水部からの水の排出を制御する制御部（５０）とを備え、
前記制御部は、
前記貯水部の水が前回排出されてから第１所定時間が経過した場合に、前記貯水部の水を排出し、
前記第１所定時間より短い第２所定時間内に前記水使用部で水が使用されると予測される場合には、前記貯水部の水が排出されてから前記第１所定時間が経過していても、前記貯水部の水を排出しない燃料電池システム。
【請求項２】
前記燃料電池で発生した熱を系外に放出する熱交換器（２２）を備え、
前記水使用部は、水の蒸発潜熱を利用して前記熱交換器を冷却するために、前記貯水部の水を前記燃料電池に散布する散布部であり、
前記制御部は、前記第２所定時間内における前記燃料電池の運転状況を予測し、予測された前記燃料電池の運転状況に基づいて、前記第２所定時間内に前記散布部によって前記貯水部の水を前記熱交換器に散布するか否かを予測する請求項１に記載の燃料電池システム。
【請求項３】
前記熱交換器の温度を検出する温度検出部（２７）を備え、
前記制御部は、前記貯水部の水が排出されてから前記第１所定時間が経過した場合において、前記熱交換器の温度が所定値を下回っているときは、前記貯水部からの水の排出を制限する請求項１または２に記載の燃料電池システム。
【請求項４】
水素と酸素とを電気化学反応させ、前記電気化学反応に伴って水を生成する燃料電池（１０）と、
前記燃料電池から回収された水を貯蔵するとともに、貯蔵された水を排出可能となっている貯水部（３１、３５）と、
前記燃料電池で発生した熱を系外に放出する熱交換器（２２）を備え、
前記熱交換器の温度を検出する温度検出部（２７）と、
前記貯水部からの水の排出を制御する制御部（５０）とを備え、
前記制御部は、前記貯水部の水が前回排出されてから前記第１所定時間が経過した場合において、前記熱交換器の温度が所定値を上回っているときは、前記貯水部の水を排出し、前記熱交換器の温度が前記所定値を下回っているときは、前記貯水部からの水の排出を制限する燃料電池システム。
【請求項５】
前記制御部は、前記貯水部の水が排出されてから前記第１所定時間が経過した場合において、前記熱交換器の温度が前記所定値を下回っているときは、前記貯水部から水を排出しない請求項３または４に記載の燃料電池システム。
【請求項６】
前記制御部は、前記貯水部の水が排出されてから前記第１所定時間が経過した場合において、前記熱交換器の温度が前記所定値を下回っているときは、前記熱交換器の温度が前記所定値を上回っているときよりも少ない流量で前記貯水部の水を排出する請求項３または４に記載の燃料電池システム。
【請求項７】
前記制御部は、前記貯水部の水が排出されてから前記第１所定時間が経過した場合にいて、前記熱交換器の温度が前記所定値を下回っているときは、前記貯水部の水が排出されてから前記第１所定時間より長い第３所定時間が経過したときに、前記第２流量で前記貯水部の水を排出する請求項６に記載の燃料電池システム。
【発明の詳細な説明】
【技術分野】
【０００１】
本発明は、燃料電池の生成水を回収して貯蔵する燃料電池システムに関する。
【背景技術】
【０００２】
特許文献１では、車両に搭載された燃料電池の生成水を回収してタンクに貯蔵しておき、タンクに貯蔵された水をラジエータに散布してラジエータの冷却能力を向上させることが提案されている。このようにタンクで水を貯蔵する場合には、貯蔵水を長期間使用しないと、水の腐食や水中での生物発生などの水質が悪化するおそれがある。
【０００３】
貯蔵水の水質悪化を抑制するために、特許文献２では、貯蔵水を加熱殺菌することが提案されており、特許文献３では、貯蔵水を定期的に排出することが提案されている。
【先行技術文献】
【特許文献】
【０００４】
【特許文献１】特開２００２−３４３３９６号公報
【特許文献２】特開２０１２−１０９０９４号公報
【特許文献３】特開２００７−３２９９４号公報
【発明の概要】
【発明が解決しようとする課題】
【０００５】
しかしながら、特許文献２のように、貯蔵水を加熱殺菌する場合には、加熱殺菌のための装置が必要となり、システムが複雑になる。加熱殺菌の他、抗菌作用のある材料（銅・亜鉛など）を使用すること、貯蔵水に紫外線を照射すること、薬品などにより貯蔵水を強酸性にすることなども考えられるが、これらの手段もシステムが複雑になる。
【０００６】
また、特許文献３のように、貯蔵水を定期的に排出する場合には、貯蔵水が必要なときに水が確保できない状況が発生しうる。さらに、貯蔵水の排出をラジエータに散布することで行う場合には、ラジエータに冷却水が流通していない状況で貯蔵水を排出すると、ラジエータで蒸発しない水が多く発生し、ラジエータ風下側の部品を被水させてしまう可能性がある。
【０００７】
本発明は上記点に鑑み、燃料電池の生成水を貯蔵する燃料電池システムにおいて、構成を複雑化させることなく、水質の悪化を抑制しつつ貯蔵水を確保することを目的とする。
【課題を解決するための手段】
【０００８】
上記目的を達成するため、請求項１に記載の発明では、水素と酸素とを電気化学反応させ、電気化学反応に伴って水を生成する燃料電池（１０）と、燃料電池から回収された水を貯蔵するとともに、貯蔵された水を排出可能となっている貯水部（３１、３５）と、貯水部の水を使用する水使用部（３９）と、貯水部からの水の排出を制御する制御部（５０）とを備え、制御部は、貯水部の水が前回排出されてから第１所定時間が経過した場合に、貯水部の水を排出し、第１所定時間より短い第２所定時間内に使用部で貯水部の水が使用されると予測される場合は、貯水部の水が排出されてから第１所定時間が経過していても、前記貯水部の水を排出しないことを特徴とする。
【０００９】
本発明では、燃料電池の生成水を貯水部に貯蔵し、定期的に貯蔵水を排出する構成において、近い将来、貯蔵水を使用すると予測される場合には、定期的なタンク貯蔵水の排出を禁止している。これにより、貯水部の貯蔵水を使用する必要が生じた場合に、貯蔵水が不足するという事態を防ぐことができる。
【００１０】
なお、上記各手段の括弧内の符号は、後述する実施形態に記載の具体的手段との対応関係を示すものである。
【図面の簡単な説明】
【００１１】
【図１】第１実施形態の燃料電池システムの全体構成を示す概念図である。
【図２】第１実施形態の燃料電池システムの冷却系を示す概念図である。
【図３】第１実施形態の燃料電池システムの制御系を示すブロック図である。
【図４】第１実施形態の燃料電池システムの定期排水制御を示すフローチャートである。
【図５】第２実施形態の気液分離器を示す概念図である。
【発明を実施するための形態】
【００１２】
（第１実施形態）
以下、本発明の第１実施形態について図１〜図４に基づいて説明する。図１は、本第１実施形態に係る燃料電池システムを示す全体構成図である。この燃料電池システムは、電気自動車の一種である、いわゆる燃料電池車両に適用されており、車両走行用電動モータ等の電気負荷に電力を供給する。
【００１３】
図１に示すように、燃料電池システムは、水素と酸素との電気化学反応を利用して電力を発生する燃料電池（ＦＣスタック）１０を備えている。燃料電池１０は、図示しないインバータ等の電気機器に電力を供給するように構成されている。インバータは、燃料電池１０から供給された直流電流を交流電流に変換して走行用モータ（負荷）に供給してモータを駆動する。
【００１４】
本第１実施形態では、燃料電池１０として固体高分子電解質型燃料電池を用いており、基本単位となるセルが複数積層されて構成されている。各セルは、電解質膜が一対の電極で挟まれた構成となっている。
【００１５】
燃料電池１０には、水素供給通路１１を介して水素が供給され、空気供給通路１２を介して酸素が供給される。燃料電池１０では、以下の水素と酸素の電気化学反応が起こり電気エネルギが発生する。
【００１６】
（負極側）Ｈ2→２Ｈ+＋２ｅ-
（正極側）２Ｈ+＋１／２Ｏ2＋２ｅ-→Ｈ2Ｏ
この電気化学反応のためには、燃料電池１０内の電解質膜は、水分を含んだ湿潤状態となっている必要がある。このため、燃料電池１０に供給される水素および空気を加湿し、これらの加湿されたガスを燃料電池１０に供給することで、燃料電池１０内の電解質を加湿するように構成されている。燃料電池１０に供給される水素および空気の加湿は、図示しない加湿装置等によって行うことができる。
【００１７】
上記電気化学反応に用いられなかった未反応の酸素は、排気通路１３を介して燃料電池１０から排気ガスとして排出される。また、燃料電池１０では電気化学反応により生成水が発生し、この水分は排気ガスに含まれた状態で、排気通路１３を介して燃料電池１０から排出される。
【００１８】
燃料電池１０は発電の際、上記電気化学反応により熱が発生する。燃料電池１０は、発電効率のために運転中一定温度（例えば８０℃程度）に維持する必要がある。また、燃料電池１０内部の電解質膜は、所定の許容上限温度を超えると、高温により破壊されるため、燃料電池１０を許容温度以下に保持する必要がある。
【００１９】
燃料電池システムは、燃料電池１０に冷却水を循環供給する冷却水通路２０を備えている。冷却水通路２０には、冷却水を循環させるための冷却水ポンプ２１が設けられている。
【００２０】
冷却水通路２０には、ラジエータ２２が設けられている。ラジエータ２２は、燃料電池１０により高温となった冷却水と、ファン２２ａにより送風された外気とを熱交換させ、燃料電池１０で発生した熱を系外に放出する熱交換器である。ファン２２ａの回転は、後述の制御部５０によって制御される。
【００２１】
冷却水通路２０には、ラジエータ２２と並列してサブラジエータ２３が設けられている。サブラジエータ２３は、冷却水と大気とを熱交換する熱交換器であり、燃料電池２の高負荷時などラジエータ２２のみでは冷却能力が不足する場合に補助的に用いられる。
【００２２】
冷却水通路２０には、冷却水をラジエータ２２をバイパスさせるためのバイパス通路２４が設けられている。バイパス通路２４はラジエータ２２と並列的に設けられている。
【００２３】
冷却水通路２０とバイパス通路２４の分岐部には、冷却水制御バルブ２５が設けられている。冷却水制御バルブ２５は、バルブ開度を調整することで、ラジエータ２２に流れる冷却水流量と、バイパス通路２４に流れる冷却水流量の比率を調整することができる。
【００２４】
冷却水通路２０における燃料電池１０の出口側には、燃料電池１０から流出した冷却水の温度（つまり、燃料電池１０の出口温度）を検出する第１水温センサ２６が設けられている。冷却水通路２０におけるラジエータ２２の出口側には、ラジエータ２２から流出した冷却水の温度（つまり、ラジエータ２２の出口温度）を検出する第２水温センサ２７が設けられている。
【００２５】
図１に戻り、燃料電池１０の排気ガスが通過する排気通路１３には、気液分離器３０が設けられている。気液分離器３０は、排気ガスに含まれる燃料電池１０の生成水を回収する水回収部を構成している。
【００２６】
気液分離器３０の下方には、第１タンク３１が設けられている。気液分離器３０には、気液分離器３０の水を第１タンク３１に供給する連通路３０ａが設けられている。連通路３０ａの端部は、第１タンク３１の内部に位置している。
【００２７】
気液分離器３０で回収した燃料電池１０の生成水は、第１タンク３１に貯蔵される。第１タンク３１は、気液分離器３０の鉛直方向下方に設ける必要があり、設置スペースを大きくすることが難しい。このため、第１タンク３１としては小型のタンクが用いられる。
【００２８】
第１タンク３１には、貯蔵水の水位が下限値を下回っているか否かを検出する下限液面センサ３１ａが設けられている。また、第１タンク３１には、内部の余分な水や空気を排出するための排出通路３１ｂが設けられている。排出通路３１ｂは、第１タンク３１の上部に設けられている。第１タンク３１の水位が所定値を超えた場合に、第１タンク３１の水が排出通路３１ｂを介して外部に排出される。
【００２９】
第１タンク３１の貯蔵水は、タンク間通路３２を介して第２タンク３５に供給可能となっている。タンク間通路３２には、第１タンク３１の貯蔵水を第２タンク３５に供給するためのタンク間ポンプ３３が設けられている。タンク間通路３２におけるタンク間ポンプ３３の下流側には、水の逆流を防ぐ逆止弁３４が設けられている。
【００３０】
第２タンク３５には、第１タンク３１から供給された水が貯蔵される。第２タンク３５は、第１タンク３１より容積が大きくなっている。本実施形態では、第１タンク３１がサブタンク、第２タンク３５がメインタンクとして位置付けられる。
【００３１】
第２タンク３５には、貯蔵水の水位が上限値を上回っているか否かを検出する上限液面センサ３５ａが設けられている。また、第２タンク３５には、外部連通部３５ｂが設けられている。外部連通部３５ｂは、第２タンク３５の内部から余分な空気を排出する目的と、第２タンク３５に外部から水を供給する目的に用いられる。
【００３２】
第２タンク３５の貯蔵水は、散布用通路３６を介して散布部３９に供給される。散布部３９は、ラジエータ２２の表面に水を散布する目的でタンク貯蔵水を使用する水使用部である。
【００３３】
散布用通路３６には、第２タンク３５の貯蔵水を散布部３９に供給するための散布用ポンプ３７が設けられている。散布用通路３６における散布用ポンプ３７の下流側には、水の逆流を防止する逆止弁３８が設けられている。
【００３４】
散布用ポンプ３７は、散布部３９に供給する水の流量を調整可能となっている。散布用ポンプ３７による流量調整は、例えば電圧制御あるいはデューティ比制御によって行うことができる。
【００３５】
散布部３９は、散布用通路３３の先端部に設けられている。散布部３９は、ラジエータ２２の風上側（つまり、車両前方側）において、ラジエータ２２の上側部分の近傍に配置されている。
【００３６】
散布部３９は、水が流入可能な内部空間を有する筐体と、筐体内部と外部とを連通し、水を散布可能な複数の連通孔（例えば、噴射ノズル）を有している。散布部３９の連通孔はラジエータ２２に対向しており、散布部３９の連通孔からラジエータ２２の表面に水を散布することができる。
【００３７】
ラジエータ２２に水を散布することで、ラジエータ２２の表面で水が蒸発する。この水の蒸発潜熱を利用してラジエータ２２の冷却能力を向上させることができる。
【００３８】
散布部３９による水の散布は、燃料電池１０の発電量増大に伴って燃料電池１０の発熱量が増大し、冷却水温度が上昇した場合に行われる。つまり、散布部３９による水の散布は、ラジエータ２２の冷却能力を向上させる必要がある場合に行われる。
【００３９】
例えば、燃料電池１０の出口温度が所定の許容上限温度に到達した場合に、散布部３９による水の散布を行うことができる。許容上限温度は、燃料電池１０の電解質膜の耐熱温度（例えば１１０℃程度）に基づいて決定すればよく、任意に設定可能な値である。
【００４０】
ラジエータ２２への水の散布が長期間行われない場合には、タンク３１、３５に貯蔵水が長期間保存され、水質が悪化するおそれがある。このため、本実施形態では、燃料電池１０の出口温度が許容上限温度に到達していなくても、散布部３９による水の散布を定期的に行い、タンク貯蔵水を排出するようになっている。つまり、本実施形態では、散布部３９による水の散布は、ラジエータ２２の冷却能力向上のために行う場合と、タンク貯蔵水の水質悪化を抑制するために行う場合とがある。
【００４１】
タンク貯蔵水を定期的に排出するために、散布部３９による水の散布を行う場合に、ラジエータ２２の温度が低いと、ラジエータ２２の表面で水が蒸発しない可能性がある。ラジエータ２２の表面で蒸発しなかった水は、ラジエータ２２の風下側の部品に被ることになる。このため、本実施形態では、タンク３１、３５の貯蔵水を定期的に排出する際に、ラジエータ２２の温度が低い場合には、タンク貯蔵水の排出を制限するようになっている。タンク貯蔵水の排出の制限には、タンク貯蔵水を排出しない場合と、タンク貯蔵水を低流量で排出する場合が含まれる。
【００４２】
図３に示すように、燃料電池システムには、制御部５０が設けられている。制御部５０は、燃料電池システムを構成する各制御対象機器の作動を制御する制御部である。制御部５０は、ＣＰＵ、ＲＯＭ及びＲＡＭ等を含む周知のマイクロコンピュータとその周辺回路から構成されている。
【００４３】
制御部５０には、水温センサ２６、２７、液面センサ３１ａ、３５ａ、外気温センサ５１、乗員センサ５２、ナビゲーション装置５３等から各種情報が入力する。外気温センサ５１は、外気温を検出するセンサである。
【００４４】
乗員センサ５２は、車両における乗員数を検出する。乗員センサ５２としては、シート荷重センサ、シートベルトバックルセンサあるいはドアセンサ等を用いることができる。
【００４５】
シート荷重センサは、車両の各シートに配置され、シートへの荷重を検出する。シート荷重センサが検出した荷重が所定値以上の場合、その座席に乗員が着座していると推定できる。シートベルトバックルセンサは、シートベルトの装着を検出する。シートベルトの装着が検出された場合、その座席に乗員が着座していると推定できる。ドアセンサは、各ドアの開閉状態を検出する。ドアが開閉された場合、そのドアから乗員が乗車したと推定できる。
【００４６】
ナビゲーション装置５３は、冷却水温度に影響を与える各種外部情報を提供する外部情報提供手段を構成する。ナビゲーション装置５３は、ナビゲーション制御部、ＧＰＳ受信機等を備えた位置検出部、地図データが記憶された地図データ記憶部、地図データ等を表示する表示部等を備えている。ナビゲーション装置５３は、ＶＩＣＳ（登録商標）等を利用して外部から渋滞情報を取得可能となっている。
【００４７】
制御部５０の出力側には、冷却水ポンプ２１、ラジエータファン２２ａ、冷却水制御バルブ２５、タンク間ポンプ３３、散布用ポンプ３７等の各制御対象機器が接続されている。制御部５０は、ＲＯＭに記憶されている制御プログラムに基づいて、各制御対象機器の作動を制御することができる。
【００４８】
次に、水質悪化抑制を目的としてタンク貯蔵水を定期的に排出する定期排水制御を図４のフローチャートに基づいて説明する。図４に示す定期排水制御は、制御部５０によって実行されるメインルーチンの一部であり、所定周期で繰り返し実行される。
【００４９】
まず、前回、散布部３９による水の散布を行ってから第１所定時間が経過したか否かを判定する（Ｓ１０）。第１所定時間は、タンク貯蔵水の水質悪化が予想される時間であり、任意に設定できる。本実施形態では、第１所定時間を３０日間としている。
【００５０】
Ｓ１０の判定処理の結果、前回の水の散布から第１所定時間が経過していないと判定された場合には（Ｓ１０：ＮＯ）、定期排水制御を終了する。一方、前回の水の散布から第１所定時間が経過していると判定された場合には（Ｓ１０：ＹＥＳ）、外気温センサ５１から外気温を取得し、乗員センサ５２から乗員数を取得し、ナビゲーション装置５３から自車位置情報、目的地、渋滞情報等の各種情報を取得する（Ｓ１１）。
【００５１】
次に、燃料電池１０の運転状況および冷却水温度を予測する（Ｓ１２）。Ｓ１２の処理では、Ｓ１１の処理で取得した各種情報に基づいて燃料電池車両が予定走行ルートを走行した場合の燃料電池１０の運転状況を予測し、予測した運転状況に基づいて燃料電池１０の冷却水温度を予測すればよい。例えば、登坂時の道路勾配が大きい場合、高速道路を走行する場合、乗員数が多い場合等には、燃料電池１０の負荷が大きくなり、冷却水温度が高くなる。また、外気温が高い場合にも、冷却水温度が高くなる。
【００５２】
次に、第２所定時間内に散布部３９からラジエータ２２に水を散布する予定があるか否かを判定する（Ｓ１３）。Ｓ１３の処理では、Ｓ１２の処理で予測した冷却水温度が第２所定時間内に許容上限温度を超えるか否かを判定すればよい。第２所定時間は、第１所定時間より短い時間として任意に設定できる。第２所定時間は、例えば燃料電池１０の生成水を気液分離器３０で回収して、タンク３１、３５の貯水量がラジエータ２２への散布に必要な所定量に到達するのに必要な時間とすることができる。第２所定時間は、例えば数時間程度に設定することができる。
【００５３】
Ｓ１３の判定処理の結果、第２所定時間内に水を散布する予定があると判定された場合には（Ｓ１３：ＹＥＳ）、定期排水制御を終了する。これにより、タンク貯蔵水の排出が禁止され、第２所定時間内に予定される水の散布に備えてタンク３１、３５の貯蔵水が保持される。
【００５４】
一方、第２所定時間内に水を散布する予定がないと判定された場合には（Ｓ１３：ＮＯ）、ラジエータ２２が所定温度以上になっているか否かを判定する（Ｓ１４）。ラジエータ２２の温度は、第２水温センサ２７で検出したラジエータ２２の出口温度から推定すればよい。この所定温度は、ラジエータ２２に水を散布した際に、ラジエータ２２の表面で水が蒸発可能な温度（例えば７０℃）であればよく、許容上限温度より低く設定することができる。
【００５５】
Ｓ１４の判定処理で、ラジエータ２２が所定温度以上になっていると判定された場合には（Ｓ１４：ＹＥＳ）、通常排水処理を実行する（Ｓ１５）。通常排水処理では、散布用ポンプ３７を作動させ、散布部３９による水の散布を行う。通常排水処理では、散布用ポンプ３７で供給される水の流速をラジエータ２２の冷却能力向上のために水を散布する場合と同一としている。
【００５６】
Ｓ１４の判定処理で、ラジエータ２２が所定温度以上になっていないと判定された場合には（Ｓ１４：ＮＯ）、前回、散布部３９による水の散布を行ってから第３所定時間が経過したか否かを判定する（Ｓ１６）。第３所定時間は、タンク貯蔵水の水質悪化が確実に予想される時間であり、任意に設定できる。第３所定時間は、第１所定時間よりも長い時間である。本実施形態では、第３所定時間を４０日間としている。
【００５７】
Ｓ１５の判定処理の結果、水の散布を行ってから第３所定時間が経過していないと判定された場合には（Ｓ１６：ＮＯ）、定期排水制御を終了する。この場合には、タンク３１、３５から水の排出が行われない。一方、水の散布を行ってから第３所定時間が経過していると判定された場合には（Ｓ１６：ＹＥＳ）、低速排水処理を実行する（Ｓ１７）。
【００５８】
低速排水処理では、通常排水処理よりも低速で散布用ポンプ３７を作動させる。このため、低速排水処理では、ラジエータ２２への水の散布が通常排水処理よりも低流量で行われる。
【００５９】
以上説明した本実施形態では、燃料電池１０の生成水をタンク３１、３５に貯蔵し、定期的にタンク貯蔵水を排出する構成において、近い将来、タンク貯蔵水を使用すると予測される場合には、定期的なタンク貯蔵水の排出を禁止している。これにより、タンク貯蔵水を使用する必要が生じた場合に、タンク貯蔵水が不足するという事態を防ぐことができる。
【００６０】
また、本実施形態では、外気温、乗員数、自車位置情報、目的地、渋滞情報等の各種情報に基づいて、近い将来の燃料電池１０の運転状況を予測し、ラジエータ２２への水の散布が必要になるか否かを判定している。これにより、近い将来にタンク貯蔵水を使用するか否かを正確に予測することができ、タンク貯蔵水が不足するという事態を防ぐことができる。
【００６１】
また、本実施形態では、タンク貯蔵水が第１所定時間使用されておらず、かつ、ラジエータ２２の温度が所定温度を上回っている場合には、通常排水処理を行っている。このとき、ラジエータ２２は散布された水を蒸発させるのに充分な温度になっているので、散布された水はラジエータ２２の表面で蒸発する。これにより、ラジエータ２２に散布された水が風下側の部品に被ることを抑制できる。
【００６２】
また、ラジエータ温度が低い場合にラジエータ２２に水を散布すると、ラジエータ２２の表面で水が蒸発せず液滴のままとなる。このため、本実施形態では、タンク貯蔵水が第１所定時間使用されておらず、かつ、ラジエータ２２の温度が所定温度を下回っている場合には、タンク貯蔵水の排出を制限し、ラジエータ２２への水の散布を低流量で行っている。これにより、液滴状態の水が走行風によってラジエータ２２の風下側の部品に飛び散ることを抑制できる。
【００６３】
また、本実施形態では、タンク貯蔵水が第１所定時間使用されておらず、かつ、ラジエータ２２の温度が所定温度を下回っている場合には、貯水部の水が排出されてから第３所定時間が経過したときに、第２流量でタンク貯蔵水を排出する。これにより、ラジエータ２２の温度が所定温度を下回っている場合であっても、タンク貯蔵水を排出する必要性が高い場合には、タンク貯蔵水を排出することで、タンク貯蔵水の水質悪化を効果的に抑制できる。
【００６４】
（第２実施形態）
次に、本発明の第２実施形態について説明する。本第２実施形態は、上記第１実施形態と比較して、気液分離器３０の構成が異なっている。上記第１実施形態と同様の部分は説明を省略し、異なる部分についてのみ説明する。
【００６５】
図５に示すように、本第２実施形態では、気液分離器３０の連通路３０ａが第１タンク３１の底部付近まで延びている。気液分離器３０で回収した燃料電池１０の生成水は、連通路３０ａによって第１タンク３１の下方領域に供給される。このため、第１タンク３１の下方領域に常に新しい水が供給され、第１タンク３１で長時間貯蔵された水は上方に移動し、上方の排出通路３１ｂから排出される。これにより、第１タンク３１の貯蔵水の水質悪化を抑制することができる。
【００６６】
（他の実施形態）
本発明は上述の実施形態に限定されることなく、本発明の趣旨を逸脱しない範囲内で、以下のように種々変形可能である。また、上記各実施形態に開示された手段は、実施可能な範囲で適宜組み合わせてもよい。
【００６７】
（１）上記各実施形態では、タンク３１、３５の貯蔵水をラジエータ２２への散布に用いる例について説明したが、これに限らず、タンク３１、３５の貯蔵水を他の目的に用いてもよい。例えば、タンク３１、３５の貯蔵水を燃料電池１０の供給ガスの加湿に用いることができる。
【００６８】
（２）上記第１実施形態の構成において、Ｓ１６およびＳ１７の処理、あるいはＳ１６の処理を省略してもよい。
【００６９】
Ｓ１６およびＳ１７の処理を省略する場合には、Ｓ１４の判定処理でラジエータ２２が所定温度以上になったと判定されるまで、定期的な排水処理が実行されず、タンク貯蔵水の排出が制限される。これにより、タンク３１、３５から排出された水がラジエータ２２の風下側の部品に被ることを防ぐことができる。
【００７０】
Ｓ１６の処理を省略する場合には、Ｓ１４の判定処理でラジエータ２２が所定温度以上になっていないと判定された場合に、第３所定時間が経過したか否かに関わらず、Ｓ１７の処理で低速排水処理が実行され、タンク貯蔵水の排出が制限される。これにより、タンク３１、３５から排出された水がラジエータ２２の風下側の部品に被ることを抑制することができる。
【００７１】
（３）上記第１実施形態の構成において、Ｓ１１〜Ｓ１３の処理を省略してもよい。Ｓ１１〜Ｓ１３の処理を省略する場合には、第２所定時間内にラジエータ１１に水を散布する予定があるか否かに関わらず、ラジエータ２２の温度が所定温度以上になっていないと判定された場合に、タンク貯蔵水の排水が制限される。
【符号の説明】
【００７２】
１０    燃料電池
２２    ラジエータ（熱交換器）
３０    気液分離器
３１    第１タンク
３５    第２タンク
３９    散布部（水使用部）
５０    制御部
【図１】
2019067662.tif 000003
【図２】
2019067662.tif 000004
【図３】
2019067662.tif 000005
【図４】
2019067662.tif 000006
【図５】
2019067662.tif 000007